(57)【特許請求の範囲】
【請求項１】
弁箱内の一次側流路と二次側流路とが連通する弁口を開閉するダイヤフラム弁に係脱自在な弁軸を、ダイヤフラム弁を閉弁方向へ付勢する調節バネを押圧する様にバネカバー内に上下動自在に螺着した調節ネジと、該調節ネジの上方でバネカバーの上端開口部に回転自在に被冠する蓋体との夫々に挿通すると共に、該蓋体の上方に突出した弁軸の突端に手動レバーを枢着した逃し弁において、調節ネジの上面に設けたネジ回し用の凹部に対応して蓋体にネジ回し用の案内孔を貫設したことを特徴とする逃し弁。
【発明の詳細な説明】
【０００１】
【発明の属する技術分野】
本発明は、温水機器用の逃し弁に関する。
【０００２】
【従来の技術】
従来、この種の逃し弁には、手動作動機構を設けられている。
ダイヤフラム式の逃し弁では、弁箱に設けた入口及び出口に通ずる一次側流路と二次側流路とが連通する弁口を開閉するダイヤフラム弁が設けられており、該ダイヤフラム弁に係脱自在な弁軸を、弁体を閉弁方向へ付勢する調節バネを押圧する様にバネカバー内に上下動自在に螺着した調節ネジと、該調節ネジの上方でバネカバーの上端開口部に被冠する蓋体の夫々に挿通すると共に、該蓋体の上方突出する弁軸の突端に手動レバーの基端を枢着して手動作動機構が構成されている。
そして、ダイヤフラム弁が一次側と二次側を連通する様に開弁するか否かを定期的に確認する（以下、作動確認と称する。）時に、通常使用時に水平であった手動レバーの先端を上方へ押し上げて蓋体上面に直立させることにより、弁軸に対する手動レバーの枢着点が弁軸の軸線上で上方へ移動し、弁軸を上動させる。これにより、弁軸がダイヤフラム弁を係合して調節バネの弾性力に抗し開弁方向へ強制的に変位させ、弁口を介して一次側流路と二次側流路を連通させる。
【０００３】
【発明が解決しようとする課題】
ところで、上記逃し弁の組み立てにおいては、調節ネジの上下位置を調整することにより、これに押圧される調節バネの弾性力を加減して逃し弁の設定圧力を設定し、この後蓋体でバネカバーの上端開口部を被冠し、該バネカバー上方に突出した弁軸突端に割りピンで以て手動レバーを枢着するのである。
調節ネジの位置調整に当たっては、穂先が二股フォーク状のネジ回しによって調節ネジを回転させることで成される。
即ち、調節ネジ上面の一直径線上に設けた凹溝状のすりわりの中間部位（調節ネジの中心に相当）に弁軸が直交状に挿通しているため、弁軸に干渉することなく、前記すりわりの左右端部側に二股フォーク状の穂先の夫々を挿入してネジ回しを回転操作することで調節ネジを上下動させる様にしている。
しかしながら、逃し弁の組み立て後の最終的な試験で設定圧力を満たしていない場合、割りピンを引き抜いて手動レバー及び蓋体を取り外し、上記ネジ回しにて調節ネジの上下位置を設定し直し、再度、蓋体等を組み付けねばならず、その作業に手間、時間を要するため、作業効率が悪いといった課題を有していた。
【０００４】
【課題を解決するための手段】
本発明は、上記課題に鑑み、弁箱内の一次側流路と二次側流路とが連通する弁口を開閉する弁体に係脱自在な弁軸を、弁体を閉弁方向へ付勢する調節バネを押圧する様にバネカバー内に上下動自在に螺着した調節ネジと、該調節ネジの上方でバネカバーの上端開口部に回転自在に被冠する蓋体との夫々に挿通すると共に、該蓋体の上方に突出した弁軸の突端に手動レバーを枢着した逃し弁において、調節ネジの上面に設けたネジ回し用の凹部に対応して蓋体にネジ回し用の案内孔を貫設した逃し弁を提供し、逃し弁の組み立て後に設定圧力を調節する必要がある場合、調節ネジのネジ回しの先端を蓋体に設けた案内孔より挿入して調節ネジの上面に設けたネジ回し用の凹部に嵌め、蓋体等を取り外して逃し弁を分解することなく、調節ネジを上下動させられる様にして、上記課題を解決する。
【０００５】
【発明の実施の形態】
以下本発明の一実施例を図面に基づいて説明する。
図に示すダイヤフラム式の逃し弁１は、弁箱２とバネカバー３とを組み付けて成り、弁箱２は、その側方及び下部に流入口４及び流出口５を開設すると共に、内部に流入口４及び流出口５に通ずる一次側流路６と二次側流路７とを設けている。
一次側流路６と二次側流路７とが連通する弁口８は、二次側流路７と同軸線上で上向きに開口形成している。
又、弁箱２上部は開口形成され、この開口部はダイヤフラム９にて閉塞されると共に、該ダイヤフラム９上に上下が開口した略ハット型のバネカバー３を被冠して弁箱２上に固定しており、ダイヤフラム９にて弁箱２とバネカバー３の各内部を区画している。
【０００６】
ダイヤフラム９の下部中央には弁口８を開閉する弁体10を一体形成してダイヤフラム弁11と成しており、その弁体10が弁口８を閉塞することにより一次側流路６と二次側流路７とを区画している。
ダイヤフラム９の上面には有底筒状のダイヤフラム受け12の底部12ａを載置すると共に、ダイヤフラム受け12とダイヤフラム９とを弁体10（ダイヤフラム９下部）の中心より挿通したリベット13にて接合固定しており、該リベット13は先端部（かしめ部に相当）より軸線方向に長い軸孔13ａを穿設している。
ダイヤフラム受け12の一直径線上に存する周壁12ｂの所定高さ部位には、中心に指向する略舌状の突片14を切り起し形成している。
そして、ダイヤフラム受け12上には、突片14を介してダイヤフラム弁11に係脱自在な弁軸15を設けている。
【０００７】
弁軸15は、その下端に軸孔13ａに摺動自在に挿入される所定長さの小径軸部15ａを設けた逆円錐部15ｂと、該逆円錐部15ｂの円形平坦面中央に立ち上がり形成した前記円形平坦面より小径な円柱状の長軸部15ｃとから成り、該長軸部15ｃの下端には、その周囲の環状面部15ｄで抜止めされる略ハット型のバネ受け16を外嵌している。
バネ受け16の鍔部16ａの外径は、突片14の先端間距離より大径にして、弁体10が弁口８を閉塞した状態で、突片14と鍔部16ａの外周縁部とは上下に離間する様に設定している。
又、外径が突片14の先端間距離より小径にして、且つ内径がバネ受け16の凸部16ｂの外径より若干大径な圧縮コイル状の調節バネ17をバネ受け16上に直立配置すると共に、調節バネ17の上端には、これを弁体10の閉弁方向へ付勢する様に押圧する調節ネジ18をバネカバー３上方の円筒部３ａ内に上下動自在に螺着している。
【０００８】
調節ネジ18は、略円板状に形成し、その外周に円筒部３ａ内周に螺刻した雌ネジに螺着する雄ネジ（図４、５中では省略）を螺刻すると共に、その中心に長軸部15ｃを摺動自在に挿通した支持孔18ａを貫設して成り、その下面には調節バネ17の上端を外嵌した円形凸部18ｂを設け、上面の一直径線上には、ネジ回しＳ用の一条の凹部18ｃを設けている。
又、バネカバー３における円筒部３ａの上端開口部３ｂには、これに被冠する蓋体19を設け、該蓋体19上面の中心には長軸部15ｃを摺動自在に挿通した支持孔19ａと、調節ネジ18の凹部18ｃに対応、即ち凹部18ｃ上方でこれと同一線上にして、且つ凹部18ｃの幅と同径と成した一対のネジ回しＳ用の案内孔19ｂを、支持孔19ａを対称中心として相互に対称な位置に貫設している。
尚、蓋体19は上端開口部３ｂを単に被冠しているに過ぎず、弁軸15を中心に回転自在と成している。
そして、蓋体19の上方に突出した弁軸15の突端15ｅに、弁軸15を上下動させる手動レバー20を割りピン21で以て枢着している。
【０００９】
手動レバー20は、所定長さを有する断面略コ字状に形成して成り、図１に示す倒伏状態において、その基端部20ａの上面20ｂと突端15ｅとの間に所定の隙間を有する様に、基端部20ａの左右側壁20ｃ間に突端15ｅを配して支軸となる割りピン21を挿通し、手動レバー20を起立させる様に引き起し動作する時に基端部20ａ上面20ｂが突端15ｅに接触しない様に成し、基端部20ａの端面20ｄと支軸21間距離を、蓋体19と支軸21間距離よりも長く設定し、図２に示す如く、基端部20ａ端面20ｄが蓋体19上面に接触する様に手動レバー20を起立させた状態で、支軸21の位置を手動レバー倒伏時よりも上方へ変位させて弁軸15を吊り上げ保持し、該弁軸15に装着したバネ受け16の鍔部16ａがダイヤフラム受け12の突片14を係合してダイヤフラム９と共に弁体10を弁口８より離間させる様に成している。
又、手動レバー20において、基端部20ａ端面20ｄと左右側壁20ｃの下端が交差する部位20ｅは円弧状に形成し、この円弧部20ｅが手動レバー20の回動操作時に蓋体19上面を摺接する様に成している。
【００１０】
ネジ回しＳは、その柄部より軸線方向に突設した軸部を介して六角柱状の穂先支持部を設け、該穂先支持部より所定長さの一対の穂先部Ｓ１を平行に突設しており、該穂先部Ｓ１は、凹部18ｃの幅に対応した丸棒状に形成され、穂先部Ｓ１の間隔及び断面形状に対応する様に案内孔19ｂは上記の如く蓋体19に貫設されている。
【００１１】
次に逃し弁１の作用について説明する。
上記構成の逃し弁１の組み立て後において、最終試験によって、設定圧力を満たしていないものにあっては、調節バネ17の弾性力の再調整のため、逃し弁１を設定圧力試験装置に接続する。
そして、蓋体19の案内孔19ｂが調節ネジ18の凹部18ｃと同一線上に配する様に、蓋体19を回転させ、かかる位置決め後、ねじ回しＳの穂先部Ｓ１の先端を案内孔19ｂを通して凹部18ｃに挿入し、ねじ回しＳを適宜方向へ回転することにより、調節ネジ18を上動又は下動させ、設定圧力を満たす様に、調節バネ17の弾性力を調整する（図４〜６参照）。
上記のねじ回しＳの回転時には、蓋体19も同様に回転し、手動レバー20もその側壁20ｃに蓋体19より上方突出している穂先部Ｓ１が当接するため、同方向へ弁軸15と共に回転することとなる。
【００１２】
又、温水機器に取付けられた逃し弁１の作動等について説明する。
逃し弁１の一次側流路６の圧力が上昇して調節バネ17により設定された圧力に達した時、調節バネ17の弾性力に抗してダイヤフラム９が開弁方向へ押圧され、弁体10が弁口８より離間して開弁し、一次側流路６から二次側流路７へ流体が流動し、その後一次側圧力が設定圧力より降下すると、調節バネ17によりダイヤフラム９が閉弁方向へ変位して閉弁する。
逃し弁１の作動確認時には、通常は倒伏状態の手動レバー20を回動操作して蓋体19上に起立させ、調節バネ17の弾性力に抗して弁軸15を吊り上げ保持することにより、弁軸15と共に上動するバネ受け16が突片14に係合して弁体10を弁口８より離間させて強制開弁し、作動確認後、手動レバー20を倒伏状態に復帰させることにより閉弁させる。
【００１３】
【発明の効果】
要するに本発明は、上記構成から成る逃し弁１において、調節ネジ18の上面に設けたネジ回しＳ用の凹部18ｃに対応して蓋体19にネジ回しＳ用の案内孔19ｂを貫設したので、逃し弁１の組み立て後において、最終試験で設定圧力を満たしていないものにあっては、ネジ回しＳの穂先部Ｓ１を蓋体19の案内孔19ｂを通して調節ネジ18の凹部18ｃに挿入することにより、従来の様に、割りピン21、手動レバー20及び蓋体19を外すことなく、ネジ回しＳで調節ネジ18を回転させて上下動させることが出来、調節バネ17のダイヤフラム弁11に対する弾性力を簡便に調整できる。
従って、本発明によれば、その組み立て時における作業効率を飛躍的に向上させられ、延いては、逃し弁１を安価に提供できる等その実用的効果甚だ大である。
【図面の簡単な説明】
【図１】逃し弁の縦断面図である。
【図２】作動確認時の逃し弁の縦断面図である。
【図３】図１の平面図である。
【図４】ねじ回しの穂先部を調節ネジの凹部に挿入した状態を示す逃し弁の縦断面図である。
【図５】図４の一部破断右側面図である。
【図６】図４のＡーＡ断面図である。
【符号の説明】
１    逃し弁
２    弁箱
３    バネカバー
３ｂ  上端開口部
６    一次側流路
７    二次側流路
８    弁口
11    ダイヤフラム弁
15    弁軸
15ｅ  突端
17    調節バネ
18    調節ネジ
18ｃ  凹部
19    蓋体
19ｂ  案内孔
20    手動レバー
Ｓ    ネジ回し
【図１】
0003974380.tif 000002
【図２】
0003974380.tif 000003
【図３】
0003974380.tif 000004
【図４】
0003974380.tif 000005
【図５】
0003974380.tif 000006
【図６】
0003974380.tif 000007